(57)【要約】【課題】簡略化された構成により商品券や小切手に固有の情報を物理的に破壊することを可能とした紙葉類処理装置及び自動取引装置を提供する。【解決手段】固有情報を有する紙葉類の入出部と、前記入出部に収納された前記紙葉類の判別部と、前記入出部に収納された紙葉類を一時的に収納する一時保管庫と、前記一時保管庫から繰出された紙葉類を収納する収納庫と、前記紙葉類を搬送する搬送路と、を備え、前記搬送路は、前記一時保管庫、前記判別部、及び前記収納庫を接続する第一の搬送路を有し、該第一の搬送路は、前記紙葉類を挟持して搬送させる複数のローラと、前記固有情報を無効とする無効手段と、備えることを特徴とする紙葉類処理装置。【選択図】図９
2013246597.tif 000002
【特許請求の範囲】
【請求項１】
固有情報を有する紙葉類の入出部と、前記入出部に収納された前記紙葉類の判別部と、前記入出部に収納された紙葉類を一時的に収納する一時保管庫と、前記一時保管庫から繰出された紙葉類を収納する収納庫と、前記紙葉類を搬送する搬送路と、を備え、
前記搬送路は、前記一時保管庫、前記判別部、及び前記収納庫を接続する第一の搬送路を有し、該第一の搬送路は、前記紙葉類を挟持して搬送させる複数のローラと、前記固有情報を無効とする無効手段と、備えることを特徴とする紙葉類処理装置。
【請求項２】
請求項１記載の紙葉類取扱い装置であって、
前記判別部は、前記紙葉類の種別を判別し、
前記判別部により、前記紙葉類が紙幣以外の紙葉類であると判別された場合、前記無効手段は、前記固有情報を無効とすることを特徴とする紙葉類処理装置。
【請求項３】
請求項１記載の紙葉類処理装置であって、
前記固有情報を無効にするとき、前記無効手段は、前記紙葉類のうち前記固有情報が印刷された位置に接触することを特徴とする紙葉類処理装置。
【請求項４】
請求項３記載の紙葉類取扱装置であって、
前記無効手段は、前記固有情報を削る手段であることを特徴とする紙葉類処理装置。
【請求項５】
請求項３記載の紙葉類取扱装置であって、
前記無効手段は、前記固有情報に塗料を塗布する手段であることを特徴とする紙葉類処理装置。
【請求項６】
請求項１記載の紙葉類処理装置であって、
前記搬送路は、前記無効手段により前記固有情報が無効とされた紙葉類を前記判別部に搬送し、前記判別部は、前記固有情報が有効又は無効であるかを判断し、
前記固有情報が有効である場合、前記搬送路は、前記紙葉類を前記一時保管庫に搬送し、前記第一の搬送路は、前記一時保管庫から繰出された該紙葉類を搬送することを特徴とする紙葉類処理装置。
【請求項７】
請求項６記載の紙葉類処理装置であって、
前記判別部は、前記固有情報が無効とされた紙葉類の該固有情報を記憶する記憶部を備えることを特徴とする紙葉類処理装置。
【請求項８】
請求項１記載の紙葉類処理装置であって、
前記搬送路は、前記紙葉類の表裏を反転させる反転搬送路を備え、
前記反転搬送路は、前記判別部により、前記紙葉類の固有情報を判別できなかった紙葉類を搬送することを特徴とする紙葉類処理装置。
【請求項９】
請求項１記載の紙葉類取扱装置であって、
前記搬送路は、複数の搬送路から構成され、
前記ローラは、該複数の搬送路間の接続部分に備えることを特徴とする紙葉類取扱装置。
【請求項１０】
請求項１に記載の紙葉類取扱装置であって、
前記ローラを複数備え、
複数の前記ローラによる紙葉類速度を異なる速度とすることを特徴とする紙葉類処理装置。
【請求項１１】
請求項１記載の紙葉類処理装置であって、前記固有情報は、バーコードであることを特徴とする紙葉類処理装置。
【請求項１２】
請求項１記載の紙葉類処理装置であって、前記ローラのうち一つは、前記無効手段であることを特徴とする紙葉類処理装置。
【請求項１３】
請求項１〜１２のうちいずれか一つ記載の紙葉類処理装置を備える自動取引装置。
【発明の詳細な説明】
【技術分野】
【０００１】
本発明は、紙葉類処理装置及び自動取引装置に関する。
【背景技術】
【０００２】
近年、紙幣及び紙幣以外の紙葉類（例：商品券、小切手など）を扱うことが可能な自動取引装置が普及している。商品券や小切手の場合、一旦使用されると無効化処理が施され、自動取引装置での再使用を禁止する必要がある。迅速かつセキュリティの高い無効化処理として、商品券や小切手に固有の情報（例：番号、バーコード、ホログラムなど）を物理的に破壊することがある。
【０００３】
特許文献１には、媒体の搬送中に、当該媒体の一部を融解することにより、当該媒体固有の情報を物理的に破壊することが開示されている。また、特許文献２には、商品券の無効化処理として、商品券に対して済印を押したり、穴を開けたり、半券化する例が記載されている。
【先行技術文献】
【特許文献】
【０００４】
【特許文献１】特開２００８−２８４８２８号公報
【特許文献２】特開２０１１−１９７７４１号公報
【発明の概要】
【発明が解決しようとする課題】
【０００５】
しかし、商品券や小切手が搬送される紙葉類処理装置に発熱機構、押印機構、切断機構等を設けなければならず、これらの機構を設けることにより、装置の大型化やコスト高に繋がる可能性がある。
【０００６】
本発明の目的は、上記のような機構を設けずに、簡略化された構成により商品券や小切手に固有の情報を物理的に破壊することを可能とした紙葉類処理装置及び自動取引装置を提供することである。
【課題を解決するための手段】
【０００７】
上記の課題を解決するために、本発明は、固有情報を有する紙葉類の入出部と、前記入出部に収納された前記紙葉類の判別部と、前記入出部に収納された紙葉類を一時的に収納する一時保管庫と、前記一時保管庫から繰出された紙葉類を収納する収納庫と、前記紙葉類を搬送する搬送路と、を備え、前記搬送路は、前記一時保管庫、前記判別部、及び前記収納庫を接続する第一の搬送路を有し、該第一の搬送路は、前記紙葉類を挟持して搬送させる複数のローラと、前記固有情報を無効とする無効手段と、備えることを特徴とする。
【発明の効果】
【０００８】
本発明によれば、紙葉類を挟持して搬送させる紙葉類の搬送手段を、商品券や小切手に固有の情報を物理的に破壊する無効手段とすることにより、装置の大型化やコスト高とならずに無効化処理を行うことが可能である。
【図面の簡単な説明】
【０００９】
【図１】自動取引装置の外観斜視図である。
【図２】紙葉類処理装置の内部構成を示す側面図である。
【図３】自動取引装置の制御ブロック図である。
【図４】入金係数処理を示すフローチャートである。
【図５】入金収納処理を示すフローチャートである。
【図６】紙葉類の搬送状態を示す図である。
【図７】無効化処理を施した紙葉類を示す図である（実施例）。
【図８】無効化処理を示すフローチャートである（実施例）。
【図９】無効化処理時の紙葉類の搬送状態を示す図である（実施例）。
【図１０】無効化処理を施した紙葉類を示す図である（変形例）。
【図１１】無効化処理時の紙葉類の搬送状態を示す図である（変形例）。
【図１２】入金収納処理を示すフローチャートである（変形例）。
【図１３】搬送ローラを示す図である（変形例）。
【発明を実施するための形態】
【００１０】
以下、図１〜図９を用いて、本発明の実施例について説明する。本実施例は、例えば銀行などの金融機関に設置されるＡＴＭ（Ａｕｔｏｍａｔｅｄ  Ｔｅｌｌｅｒ  Ｍａｃｈｉｎｅ）のような自動取引装置に関するものである。
【００１１】
本実施例における自動取引装置は、紙葉類を扱う装置であれば適用可能であり、ＡＴＭの他に、例えば、ＣＤ（Ｃａｓｈ  Ｄｉｓｐｅｎｓｅｒ）、両替機、売上金入金機、公営競技（競輪・競馬・競艇等）の投票券・入場券・乗車券等の券売機等でも良い。
【００１２】
本実施例における紙葉類には、例えば、紙幣、商品券、小切手、各種くじ券（宝くじ等）、公営競技の投票券、入場券、乗車券、高速道路、電話、各種施設の利用券、証券、債券、株券、図書券などが含まれるものとする。なお、以下の説明においては、「紙葉類」は、紙幣及び商品券であるものとして説明するが、紙幣と紙幣以外とに分類可能であれば、商品券に限られる物ではない。
【００１３】
Ａ：自動取引装置の構成
図１は、自動取引装置の一例である、ＡＴＭの外観斜視図である。
ＡＴＭ１の下方内部には、紙葉類を処理する紙葉類処理装置２を備えている。この紙葉類処理装置２は、利用者が紙葉類の投入・取り出しを行う紙葉類入出部を介して、入金取引及び出金取引を処理する。また、ＡＴＭ１の下方左部内部には、硬貨を処理する硬貨処理装置３を備えている。この硬貨処理装置３は、利用者が硬貨の投入・取り出しを行う硬貨入出金部を介して、入金取引及び出金取引を処理する。なお、ＡＴＭ１は、硬貨処理装置３を備えない構成としても良い。
【００１４】
ＡＴＭ１の上方左部内部には、利用者の通帳を処理し、取引明細を印字して放出する通帳処理装置４を備えている。また、ＡＴＭ１の上方右部内部には、利用者のカードを処理するカード処理装置５と、取引明細票を印字して放出する明細票処理装置６と、を備えている。また、ＡＴＭ１の正面には、取引の内容を表示及び入力する利用者操作部７を備えている。
【００１５】
図２は紙葉類処理装置２の内部構成を示す側面図である。
紙葉類処理装置２の上部の背面側（図２の上部左側）には、投入された紙葉類を取引成立までの間、一時的に収納する一時保管庫１０１が配置される。また、紙葉類処理装置２の上部の中央部には、入金された紙葉類又は出金される紙葉類の判別を行う紙葉類判別部１０２が配置される。紙葉類判別部１０２は、図示しないセンサにより、紙葉類の種別（紙幣、紙幣以外（商品券等））、紙幣の金種、商品券の種類、紙幣又は商品券の真偽（真券、偽券、真偽が不明な疑券）、紙幣又は商品券の向き及び損傷の程度を判別することが可能である。また、紙葉類処理装置２の上部の前面側（図２の上部右側）には、投入された紙葉類の繰出し及び放出される紙幣の集積が行われる紙葉類入出部１０３が配置される。
【００１６】
紙葉類処理装置２の下部には、紙葉類を収納する紙葉類収納庫１０４ａ〜１０４ｄ及び回収庫１０５が配置される。紙葉類収納庫１０４ａ〜１０４ｄは、内部に一金種のみ収納する単一の収納部を有する紙葉類収納庫、又は内部に二つの収納部を備えた紙葉類収納庫である。また、紙葉類収納庫１０４ａ〜１０４ｄは、投入された紙葉類を保管し、当該紙葉類を放出用の紙葉類に供するためのリサイクル庫である。また、回収庫１０５は、紙葉類判別部１０２における判別の結果、出金用の紙幣として扱う基準を満たさない紙幣や、真券として扱う基準を満たさない商品券を収納するリジェクト庫である。
【００１７】
なお、無効化処理を施した商品券は、上記紙葉類収納庫１０４ａ〜１０４ｄ又は回収庫１０５のいずれかに収納されるものとする。但し、無効化処理を施した商品券を、紙葉類入出部に放出すること（リサイクルすること）は望ましくないので、紙葉類収納庫１０４ａ〜１０４ｄを紙幣のリサイクル庫として用い、回収庫１０５を紙幣及び商品券のリジェクト庫及び無効化処理を施した商品券の収納庫として用いることが最適である。
【００１８】
１０６〜１１５は、紙葉類の搬送路である。各々の搬送路は、それぞれ違うモータで動くため、独立して制御することが可能である。図２では、一方向のみに紙葉類を搬送する一方向搬送路を二重線の矢印（矢印は搬送方向）で示し、双方向に紙葉類を搬送する双方向搬送路を実線で示している。以下、各搬送路について、説明する。
【００１９】
搬送路１０６は、紙葉類判別部１０２を通過するループ状の搬送路であって、搬送路１０８、１０９、１１０、１１１、１１２、１１５と接続する上部搬送路（双方向搬送路）である。
【００２０】
搬送路１０７は、上部搬送路１０６から分岐し、紙葉類収納庫１０４ａ〜１０４ｄ及び回収庫１０５の上方を経由し、再び上部搬送路１０６に接続する下部搬送路（双方向搬送路）である。
【００２１】
搬送路１０８は、紙葉類入出部１０３から上部搬送路１０５へと紙葉類を搬送する入金搬送路（一方向搬送路）である。
【００２２】
搬送路１０９は、上部搬送路１０６から紙葉類入出部１０３へと紙葉類を搬送する出金搬送路（一方向搬送路）である。搬送路１１０は、上部搬送路１０６から紙葉類入出部１０３へと紙葉類を搬送する返却搬送路（一方向搬送路）である。出金搬送路１０９は、後述の出金処理（紙幣の放出処理）の際に、紙幣が搬送される搬送路であり、返却搬送路１１０は、後述の入金計数処理（投入された紙葉類の計数処理）紙葉類の投入処理の際に、取引中止等により一時保管庫１０１に収納された紙葉類を紙葉類入出部１０３に返却する際に、紙葉類が搬送される搬送路である。なお、出金搬送路１０９、及び返却搬送路１１０の代わりに、紙葉類入出部１０３と上部搬送路１０６とを接続する単一の双方向搬送路を用いても良い。
【００２３】
搬送路１１１は、上部搬送路１０６から一時保管庫１０１に紙葉類を搬送する一時保管庫収納搬送路（一方向搬送路）である。搬送路１１２は、一時保管庫１０１から上部搬送路１０６に紙葉類を搬送する一時保管庫繰出搬送路（一方向搬送路）である。なお、一時保管庫収納搬送路１１１及び一時保管庫繰出搬送路１１２の代わりに、一時保管庫１０１と上部搬送路１０６とを接続する単一の双方向搬送路を用いても良い。
【００２４】
搬送路１１３ａ〜１１３ｄは、下部搬送路１０７から紙葉類収納庫１０４ａ〜１０４ｄに紙葉類を搬送する収納庫収納搬送路（一方向搬送路）である。また、搬送路１１３ｅは、下部搬送路１０７から回収庫１０５に紙葉類を搬送する回収庫搬送路（一方向搬送路）である。また、搬送路１１４ａ〜１１４ｄは、紙葉類収納庫１０４ａ〜１０４ｄから下部搬送路１０７に紙葉類を搬送する収納庫繰出搬送路（一方向搬送路）である。なお、収納庫収納搬送路搬送路１１３ａ〜１１３ｄ及び収納庫繰出搬送路１１４ａ〜１１４ｄの代わりに、紙葉類収納庫１０４ａ〜１０４ｄと下部搬送路１０７とを接続する単一の双方向搬送路を用いても良い。
【００２５】
搬送路１１５は、一時保管庫１０１に収納する紙葉類の表裏を反転させるための反転搬送路(一方向搬送路)である。反転搬送路１１５は、搬送された紙幣が衝突する終端面を設け、終端面に突き当たった紙幣が跳ね返ることにより、進行方向が逆転する構成（スイッチバック構成）を採用しており、スイッチバックした紙幣がターンすることにより、紙葉類の表裏が反転する。なお、反転搬送路１１５を備えない構成としても良い。
【００２６】
通過センサ１１６は、搬送路上に複数設けられており、紙葉類の通過状態を検知することが可能である。また、切替ゲート１１７は、紙葉類の搬送先を切替える必要がある位置に複数設けられている。
ことが可能である。
【００２７】
図３は、ＡＴＭ１の制御関係を示す制御ブロック図である。
ＡＴＭ１は、ネットワーク１０００を介して、ＡＴＭ１の上位装置であるホストコンピュータ１１００及びサーバ１２００と接続されている。ホストコンピュータ１１は、ＡＴＭ１と取引情報の送受信及び利用者情報の管理を行う自動機であり、サーバ１２００は、利用者の口座番号や口座に対応した預入金額等が記憶される記憶装置である。
【００２８】
ＡＴＭ１には、紙葉類処理装置２、硬貨処理装置３、通帳処理装置４、カード処理装置５、明細票処理装置６、利用者操作部７、本体制御部記憶装置８、通信部９及び本体制御部１０を備えている。これらの紙幣処理装置２、硬貨処理装置３、通帳処理装置４、カード処理装置５、明細票処理装置６、利用者操作部７、本体制御部記憶部８、通信部９は、本体制御部１０の制御の下に必要な動作を行う。
【００２９】
紙葉類処理装置２には、制御部２ａ、紙葉類処理装置２の記憶部２ｂ、及び紙葉類判別部１０２を備える。制御部２ａは、切替ゲート１１７の動作による紙葉類の搬送先の決定や、搬送路による紙葉類の搬送の制御や、紙葉類処理装置２を構成する種々のユニットの制御等、紙葉類処理装置２全体の制御を行う。紙葉類処理装置２全体の制御を行うためのプログラム、ソフトウェア、ミドルウェア等の情報は記憶部２ｂに記憶されている。なお、記憶部２ｂは、制御部２ａとの一部として構成しても良い。
【００３０】
紙葉類判別部１０２は、各紙葉類の真偽、種類の判別処理と共に、紙葉類の固有情報（番号、バーコード、ホログラムなど）も読み取る。この紙葉類判別部１０２は、２つの記憶領域、すなわち第１の記憶領域Ａ１０２ａと、第２の記憶領域Ｂ１０２ｂとを具備する。なお、第１の記憶領域Ａ１０２ａと、第２の記憶領域Ｂ１０２ｂとは、別々のハードウェアとして構成しても良い。第１の記憶領域Ａ１０２ａは、一時保管庫１に一時的に保管された紙葉類について、制御部２ａが決定した紙葉類の搬送先へ紙葉類を搬送する際に、紙葉類判別部１０２が判別した紙葉類の固有情報を記憶する。一方、第２の記憶領域Ｂ１０２ｂは、紙葉類入出部１０３に投入された紙葉類を一時保管庫１に搬送する際（後述の入金計数処理の際）に、紙葉類入出部１０３が読み取った紙葉類の固有情報、紙葉類入出部１０３が判別した判別情報（紙葉類の金種、真偽又は状態を判別した情報をいう。）、及び投入順番情報（後述の入金計数処理の際の紙葉類の搬送順番をいう）を記憶する。
【００３１】
硬貨処理装置３、通帳処理装置４、カード処理装置５、明細票処理装置６、利用者操作部７の特徴は、上述の通りである。本体制御部記憶部８には、ＡＴＭ１の制御のために必要なプログラム等やカードデータ等が記憶される。また、通信部９は、ＡＴＭ１の上位装置であるホストコンピュータ１１００及びサーバ１２００と、取引情報の送受信を行う。
【００３２】
Ｂ：自動取引装置における取引の種別
ＡＴＭ１における代表的な処理として、入金処理と出金処理とがある。また、入金処理には、（１）紙葉類入出部１０３に投入された紙葉類を、紙葉類判別部１０２で判別し、一時保管庫１０１に搬送する入金計数処理、（２）入金計数処理の後に入金確定となり、一時保管庫１０１に収納された紙葉類を、再度紙葉類判別部１０２で判別し、紙葉類収納庫１０４ａ〜１０４ｄ又は回収庫１０５に搬送する入金収納処理、（３）入金計数処理の後に入金中止となり、一時保管庫１０１に収納された紙葉類を、紙葉類入出部１０３に返却する入金返却処理、がある。なお、入金確定及び入金中止の判断は、本体制御部１０により行われ、利用者操作部７に表示された画面（図示せず）を介して、利用者が入金確定及び入金中止を選択したことを契機とする。以下では、入金計数処理、入金収納処理、出金処理について説明する。
【００３３】
Ｂ−１：入金計数処理の概要
以下、入金計数処理について、詳細に説明する。
図４は、入金係数処理を示すフローチャートである。本体制御部１０により、利用者操作部７に表示された画面（図示せず）を介して、入金取引の開始が選択したことを検知すると、入金計数処理の開始指示を紙葉類処理装置２に送信する。本体制御部１０からの指示を受信後（Ｓ１００１）、紙葉類処理装置２の制御部２ａは、記憶部２ｂ、第１の記憶領域Ａ１０２ａ、第２の記憶領域Ｂ１０２ｂを初期化する（Ｓ１００２）。また、制御部２ａは、紙葉類入出部１０３に設けられたシャッタ（図示せず）を開くように制御し、利用者による紙葉類入出部１０３への紙葉類の投入を可能とする。
【００３４】
紙葉類入出部１０３に投入された紙葉類は、紙葉類入出部１０３に設けられた分離ローラによって１枚ずつ分離される（Ｓ１００３）。分離された紙葉類は、入金搬送路１０８、上部搬送路１０６の順に搬送され、紙葉類判別部１０２を通過する際に、紙葉類の金種、真偽又は状態が判別される（Ｓ１００４）。また、Ｓ１００４の処理の際に、制御部２ａにより、紙葉類の搬送先決定処理が実施される。さらに、Ｓ１００４の処理の際に、制御部２ａにより、紙葉類の固有情報（紙幣の記番号、商品券のバーコード）を読み取り、紙葉類の券種（紙幣又は商品券）や、紙葉類の固有情報（紙幣の記番号、商品券のバーコード）を判断する。
【００３５】
紙葉類の搬送先決定処理について、さらに説明する。紙葉類の搬送先決定処理は、紙葉類を一時保管庫１０１に一時的に収納するか、紙葉類入出部１０３に返却するか決定をする処理である。また、一時保管庫１０１に一時的に収納する紙葉類について、後述する入金収納処理において、紙葉類収納庫１０４ａ〜１０４ｄ又は回収庫１０５のいずれかを紙葉類の収納先として決定する処理も、紙葉類の搬送先決定処理に含まれる。
【００３６】
紙葉類入出部１０３には、紙葉類識別部１０２により、金種及び券種が判別できない紙葉類、寸法が異常な紙葉類、固有情報が取得できない紙葉類が返却される。このような紙葉類は、紙葉類処理装置２で取扱不可能なためである。
【００３７】
紙葉類収納庫１０４ａ〜１０４ｄには、紙葉類識別部１０２により真券であると判別された紙幣のうち、リサイクルに適する紙幣を収納する。例えば、紙葉類収納庫１０４ａに一万円紙幣を収納すると設定した場合、紙葉類識別部１０２により真券の一万円紙幣であり、リサイクルに適すると判別された紙葉類に対して、当該紙葉類の搬送先を紙葉類収納庫１０４ａに決定する。
【００３８】
回収庫１０５には、紙葉類識別部１０２により真券であると判別された紙幣であっても、汚れや破れありと判別され、リサイクルに適さない紙幣を収納する。また、紙葉類識別部１０２により真券でないと判別された紙幣、又は真偽が疑わしいと判別された紙幣も、回収庫１０５に収納される。このような紙幣はリサイクルが禁止されているからである。さらに、回収庫１０５には、無効化処理を施した商品券も収納される。商品券もリサイクルが禁止されているからである。
【００３９】
このように、紙葉類処理装置２は、紙葉類識別部１０２により判別された紙葉類のうち、紙葉類処理装置２で取扱不可能な紙葉類は、一時保留庫１０１を介さずに紙葉類入出部１０３に搬送して利用者に返却するが、それ以外の紙葉類（真券であると判別された紙幣、真券でないと判別された紙幣、真偽が疑わしいと判別された紙幣、商品券）は、制御部２ａが決定した搬送先に搬送する前に、一時保管庫１０１に搬送される。
【００４０】
Ｓ１００４において、紙葉類入出部１０３に投入された紙葉類が、紙葉類処理装置２で取扱可能である場合（Ｓ１００５：Ｙ）、制御部２ａは、紙葉類の固有情報とその場所、判別情報、及び入金順番情報を関連付けて記憶する（Ｓ１００６）。また、当該紙葉類は、上部搬送路１０６、一時保管庫収納搬送路１１１の順に搬送され、一時保管庫に一時的に収納される（Ｓ１００７）。
【００４１】
一方、Ｓ１００４において、紙葉類入出部１０３に投入された紙葉類が、紙葉類処理装置２で取扱不可能である場合（Ｓ１００５：Ｎ）、当該紙葉類は、上部搬送路１０６、返却搬送路１１０の順に搬送され、紙葉類入出部１０３に返却される（Ｓ１００８）。
【００４２】
上記Ｓ１００３〜Ｓ１００８の処理は、紙葉類入出部１０３に収納された紙葉類を全て繰り出すまで（Ｓ１００９：Ｙ）、繰り返して行われる。なお、紙葉類入出部１０３は、利用者による紙葉類の投入を受け付ける収納部と、返却された紙葉類を収納する収納部とが分かれている構成であるため、一旦返却された紙葉類が再度分離ローラで繰り出されることはない。但し、上記収納部を設けずに、返却された紙葉類が再度分離ローラで繰り出される構成とした場合は、一旦返却された紙葉類が再度紙葉類判別部１０２で判別されたことを契機として、上記繰出しを完了としても良い。
【００４３】
Ｂ−２：入金収納処理の概要
入金計数処理の後、紙葉類判別部１０２で判別された紙葉類の入金金額が利用者操作部７に表示される。利用者操作部７に表示された画面（図示せず）を介して、入金確定された場合、入金収納処理が行われる、一方、入金中止された場合、一時保管庫１０１に収納された紙葉類を入出金収納部１０３に搬送する入件返却処理が行われるが、ここでは詳細な説明を省略する。
【００４４】
以下、入金収納処理について、詳細に説明する。
図５は、入金収納処理を示すフローチャートである。本体制御部１０により、利用者操作部７に表示された画面（図示せず）を介して、入金金額の確定を検知すると、入金収納処理の開始指示を紙葉類処理装置２に送信する。本体制御部１０からの指示を受信後（Ｓ１１０１）、紙葉類処理装置２の制御部２ａは、第１の記憶領域Ａ１０２ａを初期化する（Ｓ１１０２）。
【００４５】
一時保管庫１０１に収納された紙葉類は、一時保管庫１０１に設けられた分離ローラによって１枚ずつ分離される（Ｓ１１０３）。分離された紙葉類は、一時保管庫繰出搬送路１１２、上部搬送路１０６の順に搬送され、紙葉類判別部１０２を通過する際に、紙葉類の固有情報（紙幣の記番号、商品券のバーコード）と、当該固有情報の紙葉類上における位置が読み取られる（Ｓ１１０４）。また、Ｓ１１０４において、紙葉類判別部１０２にて読み取られた紙葉類の固有情報及び当該固有情報の位置は、第１の記憶領域Ａに記憶される。
【００４６】
紙葉類判別部１０２を通過した紙葉類は、上部搬送路１０６、下部搬送路１０７の順に搬送される。このとき、搬送される紙葉類が商品券であれば（Ｓ１１０５：Ｙ）、上部搬送路１０６と下部搬送路１０７との境界部分において、商品券の無効化処理が施される（Ｓ１１０６）。商品券の無効化処理については、後に詳細に説明する。その後、無効化処理が施された商品券は、回収庫搬送路１１４を通過し、回収庫１０５に収納される（Ｓ１１０７）。一方、搬送される紙葉類が紙幣であれば（Ｓ１１０５：Ｎ）、無効化処理を施されずに、収納庫搬送路１１３又は回収庫搬送路１１４を通過し、紙葉類収納庫１０４ａ〜１０４ｄまたは回収庫１０５に収納される（Ｓ１１０８）。
【００４７】
上記Ｓ１１０３〜Ｓ１１０８の処理は、一時保管庫１０１に収納された紙葉類を全て繰り出すまで（Ｓ１１０９：Ｙ）、繰り返して行われる。
【００４８】
Ｂ−３：出金処理の概要
利用者操作部７を介して出金金額が入力された後、本体制御部１０は、出金指示を紙葉類取扱装置２に送信する。本体制御部１０からの指示を受信後、紙葉類処理装置２の制御部２ａは、各紙葉類収納庫１０４ａ〜１０４から所定枚数の紙幣を繰り出す。繰出された紙幣は、紙葉類判別部１０２で判別された後、紙葉類入出部１０３に放出され、利用者に提供される。
【００４９】
なお、出金処理時にリジェクトが発生した場合、リジェクト紙幣を一時保管庫１０１又は回収庫１０５に搬送し、リジェクト紙幣と同じ金額となるように、紙葉類を各紙葉類収納庫１０４ａ〜１０４から更に繰り出す。
【００５０】
Ｃ：無効化処理
以下、Ｓ１１０５における商品券の無効化処理について、詳細に説明する。
図６は、上部搬送路１０６と下部搬送路１０７との境界部分を示す図である。当該境界部分には、上部搬送路１０６側のローラ１０６ａ、１０６ｂと、下部搬送路１０７側のローラ１０７ａ、１０７ｂとを備えている。ローラ１０６ａ、１０６ｂ、１０７ａ、１０７ｂは、それぞれ回転速度を独立して制御できるローラである。また、ローラ１０６ａは、商品券の固有部分の無効化処理を施す無効手段である。
【００５１】
また、商品券２０１は、上部搬送路１０６と下部搬送路１０７とに跨った状態で搬送されており、インクで印刷された商品券の固有部分２０２は、ローラ１０６ａに対向する位置に存在する状態である。
【００５２】
商品券の固有部分２０２とローラ１０６ａとを対向させるために、制御部２ａは、紙葉類判別部１０２から、上部搬送路１０６と下部搬送路１０７との境界部分までに通過する通過センサ１１６で商品券の先端位置を検知し、紙葉類判別部１０２で読み取った商品券２０１の固有部分２０２が、ローラ１０６ａに到達するための時間を計算する。なお、商品券の先端位置を検知に用いる通過センサ１１６は、紙葉類判別部１０２から、上部搬送路１０６と下部搬送路１０７との境界部分までに設置されている任意の通過センサで良い。
【００５３】
図７は、商品券を示す図である。商品券２０１の長手方向に沿うように、商品券の固有部分２０２が印刷されており、無効化処理を施すことにより、商品券の固有部分２０２に印刷削れ２０３を施すことが可能である。なお、図７では、印刷削れ２０３を施すことで、商品券の固有部分２０２を無くす構成としているが、紙葉類判別部１０２で読み取れない程度であれば、商品券の固有部分２０２の一部に印刷削れ２０３を施す構成としても良い。
【００５４】
図８（ａ）は、図５のＳ１１０６における無効化処理を示すフローチャートである。最初に、上部搬送路１０６と下部搬送路１０７との境界部分に搬送された商品券の搬送を停止する（Ｓ１１０６−１）。このとき、上部搬送路のローラ１０６ａが、商品券の固有部分２０２に対向する位置となるように、商品券の搬送を制御する。次に、上部搬送路のローラ１０６ａと下部搬送路のローラ１０７ａとを回転させる（Ｓ１１０６−２）。このとき、商品券の固有部分２０２とローラ１０６ａとを対向させた状態において、制御部２ａは、ローラ１０６ａ及び１０６ｂの回転速度を遅くする（又は下部搬送路１０７のローラ１０７ａ及び１０７ｂの回転速度を速くする）ことにより、上部搬送路のローラ１０６ａに摩擦力を加える。この摩擦力により、商品券の固有部分２０２に印刷削りを施すことが可能となる。上部搬送路のローラ１０６ａ及び下部搬送路のローラ１０７ａを一定量回転し、印刷削りを施した後（Ｓ１１０６−３：Ｙ）、上部搬送路のローラ１０６ａの回転速度を、下部搬送路のローラ１０７ａの回転速度と同程度まで増加させる様に制御し（Ｓ１１０６−４）、商品券を搬送する。なお、上部搬送路のローラ１０６ａの回転を停止させ、下部搬送路のローラ１０７ａの回転のみにより、印刷削りと商品券の搬送とを一括して行っても良い。
【００５５】
なお、印刷削りは上記のフローの他、図８（ｂ）に示すフローでも良い。Ｓ１１０６−１は、図８（ａ）に示すフローと同様である。Ｓ１１０６−１の後、上部搬送路のローラと商品券の固有部分２０２とが接触するように、上部搬送路のローラを制御する（Ｓ１１０６−５）。その後、上部搬送路のローラを一定量回転させることにより、固有部分２０２に印刷削りを施す（Ｓ１１０６−６、Ｓ１１０６−７：Ｙ）。上部搬送路のローラを一定量回転させた後、上部搬送路のローラを商品券の固有部分２０２から離すように制御し（Ｓ１１０６−８）、商品券の搬送を再開する（Ｓ１１０６−９）。
【００５６】
図９は、図８で示した無効化処理における、搬送路の状態を示す図である。商品券の固有部分２０２とローラ１０６ａとが対向したとき、ローラ１０６ａを商品券２０１に押し付けることにより、商品券の固有部分２０２と接触させる。次に、商品券の固有部分２０２とローラ１０６ａとを対向させた状態において、制御部２ａは、ローラ１０６ａ及び１０６ｂの回転速度を遅くする（又は下部搬送路１０７のローラ１０７ａ及び１０７ｂの回転速度を速くする）ことにより、商品券２０１に対して搬送方向への張力を掛ける。このとき、ローラ１０６ａと商品券の固有部分２０２との間に摩擦力が生じ、この摩擦によって商品券の固有部分２０２が削れることにより、印刷削れ２０３が現れる（図９（Ａ））。印刷削れ２０３が現れた後、ローラ１０６ａを商品券２０１から離す様に制御し、他のローラ１０６ｂ、１０７ａ、１０７ｂにより、商品券２０１を下部搬送路側に搬送させる（図９（Ｂ））。
【００５７】
これにより、発熱機構のような新たな機構を設けずに、簡略化された構成により商品券や小切手に固有の情報を物理的に破壊することを可能とし、発熱機構を設けた場合に比べて、ローラの劣化を防ぐことが可能となる。特に、搬送路上に固有情報の無効化手段を設けることにより、構成が簡略化されると共に、無効化手段を備えた装置の小型化が可能となる。
【００５８】
なお、本実施例では、上部搬送路１０６と下部搬送路１０７との境界部分における無効化処理を説明したが、２組のローラが隣接している部分であれば、任意の場所で無効化処理を実施することが可能である。また、ローラ１０６ａのみ回転速度を変えることも可能である。
【００５９】
Ｄ１：変形例１
以下、第１の変形例について説明する。実施例では、ローラ１０６ａにより、商品券の固有部分２０２を削り、印刷削れ２０３が現れる例を説明したが、商品券の固有部分に汚れをつける例を説明する。
【００６０】
図１０は、商品券を示す図である。商品券２０１の長手方向に沿うように、商品券の固有部分２０２が印刷されており、無効化処理を施すことにより、商品券の固有部分２０２に塗布部２０４を施すことが可能である。なお、図９では、塗布部２０４を施すことで、商品券の固有部分２０２を無くす構成としているが、紙葉類判別部１０２で読み取れない程度であれば、商品券の固有部分２０２の一部に塗布部２０４を施す構成としても良い。
【００６１】
図１１は、無効化処理における、搬送路の状態を示す図である。なお、無効化処理における搬送路、ローラの制御を示すフローチャートは、図８と同様であるため、詳細な説明を省略する。
【００６２】
第１の変形例の場合、実施例とは異なり、変形例におけるローラ１０６ａは、汚れを塗布する塗布手段としての機能を備える。商品券の固有部分２０２とローラ１０６ａとが対向したとき、ローラ１０６ａの汚れ１０６ａ−１を商品券２０１に押し付けることにより、商品券の固有部分２０２と接触させるとともに、商品券の固有部分２０２への汚れの塗布を開始する。次に、商品券の固有部分２０２とローラ１０６ａとを対向させた状態において、制御部２ａは、ローラ１０６ａ及び１０６ｂの回転速度を遅くする（又は下部搬送路１０７のローラ１０７ａ及び１０７ｂの回転速度を速くする）ことにより、商品券２０１に対して搬送方向への張力を掛ける。このとき、ローラ１０６ａと商品券の固有部分２０２との間に生じた力により、商品券の固有部分２０２にさらに汚れを塗布することで、塗布部２０４を形成させる（図１１（Ａ））。塗布部２０４が現れた後、ローラ１０６ａを商品券２０１から離す様に制御し、他のローラ１０６ｂ、１０７ａ、１０７ｂにより、商品券２０１を下部搬送路側に搬送させる（図１１（Ｂ））。
【００６３】
なお、ローラ１０６ａの表面を粘着性の部材とし、ローラ１０６ａを商品券の固有部分２０２に接触させる場合に、上記粘着性の部材に付いた汚れを、固有部分２０２に付けるようにローラ１０６ａを制御する構成としても良い。
【００６４】
また、汚れを塗布する代わりに、ローラ１０６ａに、商品券へのインク等の塗布を行うインク塗布部を設けても良い。この場合、印刷削りを施すよりもローラの摩擦力を減らすことが可能となる。そのため、印刷削りを施すと破れるような紙葉類であっても固有情報の無効化処理が可能となる。なお、装置の小型化を実現すべく、塗布部２０４にインク等を補充させるための機構は、ローラ１０６ａの内部に設けることが望ましい。
【００６５】
Ｄ２：変形例２
以下、第２の変形例について説明する。本変形例では、無効化処理を施した商品券に対して、確実に無効化処理が行われたか判断する処理が追加されている。
【００６６】
図１２は、本変形例における入金収納処理を示すフローチャートである。本体制御部１０により、利用者操作部７に表示された画面（図示せず）を介して、入金金額の確定を検知すると、入金収納処理の開始指示を紙葉類処理装置２に送信する。本体制御部１０からの指示を受信後（Ｓ１２０１）、紙葉類処理装置２の制御部２ａは、第１の記憶領域Ａ１０２ａを初期化する（Ｓ１２０２）。
【００６７】
一時保管庫１０１に収納された紙葉類は、一時保管庫１０１に設けられた分離ローラによって１枚ずつ分離される（Ｓ１２０３）。分離された紙葉類は、一時保管庫繰出搬送路１１２、上部搬送路１０６の順に搬送され、紙葉類判別部１０２を通過する際に、紙葉類の固有情報（紙幣の記番号、商品券のバーコード）と、当該固有情報の紙葉類上における位置が読み取られる（Ｓ１２０４）。また、Ｓ１２０４において、紙葉類判別部１０２にて読み取られた紙葉類の固有情報及び当該固有情報の位置は、第１の記憶領域Ａに記憶される。
【００６８】
紙葉類判別部１０２を通過した紙葉類は、上部搬送路１０６、下部搬送路１０７の順に搬送される。このとき、搬送される紙葉類が商品券であれば（Ｓ１２０５：Ｙ）、上部搬送路１０６と下部搬送路１０７との境界部分において、商品券の無効化処理が施される（Ｓ１２０６）。無効化処理が施された商品券は、下部搬送路１０７、上部搬送路１０６の順に搬送され、紙葉類判別部１０２を通過する際に、商品券の固有情報が読取可能か判断する（Ｓ１２０７）。
【００６９】
紙葉類判別部１０２が商品券の固有情報を読取可能である場合（Ｓ１２０７：Ｙ）、商品券の無効化処理が十分とはいえない。そのため、商品券を一旦一時保管庫１０１に搬送させた後（Ｓ１２０８）、Ｓ１２０３以降の処理を繰り返す。この処理は、紙葉類判別部１０２が商品券の固有情報を読取不可能となるまで（紙葉類の無効化処理が確実に施されるまで）繰り返して行われる。
【００７０】
一方、Ｓ１２０７において、紙葉類判別部１０２が商品券の固有情報を読取不可能である場合（Ｓ１２０７：Ｎ）、商品券の無効化処理が十分である。そのため、制御部２ａは、当該商品券を、回収庫搬送路１１４を通過させ、回収庫１０５に収納させる（Ｓ１２０９）。なお、搬送される紙葉類が紙幣である場合は（Ｓ１２０５：Ｎ）、無効化処理を施さずに紙葉類収納庫１０４ａ〜１０４ｄまたは回収庫１０５に収納される（Ｓ１２１０）。
【００７１】
上記Ｓ１２０３〜Ｓ１２１０の処理は、一時保管庫１０１に収納された紙葉類を全て繰り出すまで（Ｓ１２１１：Ｙ）、繰り返して行われる。
【００７２】
なお、本変形例の場合、ローラ１０６ａの形状や材質によって、印刷削れ２０３や塗布部２０４の形状が決まるので、本変形例では、このような印刷削れ２０３や塗布部２０４の形状パターンを紙葉類識別部１０２で検知した際に、当該紙葉類は無効化処理を施された商品券と判断するにしても良い。
【００７３】
Ｄ３：変形例３
以下、第３の変形例について説明する。実施例では、ローラ１０６ａを用いて無効化処理を行う例を説明したが、ローラの形状や材質によって、ローラ１０６ｂを用いた方が、効率が高い可能性がある。また、紙葉類入出部１０３に収納された紙葉類について、固有情報が印刷された位置を揃えることにより、無効化処理が簡略化される場合がある。このような場合に、入金計数処理時において、反転搬送路１１５を経由させることにより、商品券の表裏を反転可能とし、商品券の固有部分２０２の向きを所望のローラに対向させたり、固有情報が印刷された位置を揃えたりすることが可能である。
【００７４】
具体的な処理は以下の通りである。最初に紙葉類入出部１０３に収納された紙葉類が、紙葉類判別部１０２を通過する際に、固有情報が判別される。このとき、固有情報が記番号であれば紙幣と判別し、固有情報がバーコードであれば商品券と判別する。一方、固有情報が判別されない場合は、商品券の固有情報が印刷されていない面である可能性が高いため（紙幣であれば、表面・裏面ともに記番号が印刷されている）、紙葉類を反転搬送路１１５を経由させて、表裏を反転させる構成とする。
【００７５】
Ｄ４：変形例４
以下、第４の変形例について説明する。実施例では、ローラ１０６ａを用いて無効化処理を行う例を説明したが、ローラの形状や材質によって、ローラ１０７ａを用いた方が、効率が高い可能性がある。このような場合に、利用者が紙葉類を紙葉類入出口に投入する際に、商品券の向きを揃える旨を指示する画面を利用者操作部７に表示させることが可能である。
【００７６】
Ｄ５：変形例５
以下、第５の変形例について説明する。図１３は、本変形例におけるローラ１０６ａの構造を示した図である。ローラ１０６ａは、搬送路の中央側になるに従い直径が小さくなるテーパ状のローラである。図示しない刃により固有情報に近い部分に切り込みを入れられた商品券が、ローラ１０６ａを通過すると、商品券が搬送路の端側（ローラ１０６ａの直径の大きい側）へ変形し、両側に引っ張られることになる。これにより、切り込みが大きくなり、無効化処理が可能となる。なお、第２の変形例で説明した様に、無効化処理が施された商品券を、紙葉類判別部１０２を通過する際に、商品券の固有情報が読取可能か判断し、固有情報に切り込みが入っていれば読み取り不可と判定することが望ましい。
【符号の説明】
【００７７】
１：自動取引装置、２：紙葉類処理装置、１０１：一時保管庫、１０２：紙葉類識別部、１０３：紙葉類入出部、１０４ａ〜１０４ｄ：紙葉類収納庫、１０５：回収庫、１０６：上部搬送路、１０６ａ、１０６ｂ：ローラ、１０６ａ−１：汚れ、１０７：下部搬送路、１０７ａ、１０７ｂ：ローラ、２０１：商品券、２０２：商品券の固有部分、２０３：印刷削れ、２０４：塗布部
【図１】
2013246597.tif 000003
【図２】
2013246597.tif 000004
【図３】
2013246597.tif 000005
【図４】
2013246597.tif 000006
【図５】
2013246597.tif 000007
【図６】
2013246597.tif 000008
【図７】
2013246597.tif 000009
【図８】
2013246597.tif 000010
【図９】
2013246597.tif 000011
【図１０】
2013246597.tif 000012
【図１１】
2013246597.tif 000013
【図１２】
2013246597.tif 000014
【図１３】
2013246597.tif 000015